(57)【要約】  【課題】  ルーフモールが熱等で伸縮した場合にその伸縮を効果的に吸収して、ルーフモールが波打ち現象を起したり両面接着テープが剥がれるのを防止する。  【解決手段】  自動車のルーフモール１は、ルーフモール本体部２と、ルーフモール本体部２の後端末に設けられたルーフモール端末部３と、を備え、ルーフモール端末部３でルーフパネル１０１に止着される。ルーフモール端末部３は、ルーフモール本体部２の上端部に連結部４を介して連続する可撓性を有する垂直片部５と、該垂直片部５の下端部に連続する水平片部６と、で略Ｌ字状に形成されていて、水平片部６が両面接着テープ７等でルーフパネル１０１に止着されている。  【選択図】  図２
2005178711.tif 000002
【特許請求の範囲】
【請求項１】
ルーフモール本体部と、該ルーフモール本体部の端末に設けられたルーフモール端末部と、を備え、前記ルーフモール端末部でルーフモール本体部をルーフパネルに止着する自動車のルーフモールであって、
前記ルーフモール端末部は、前記ルーフモール本体部の上端部に連結部を介して連続する可撓性を有する垂直片部と、該垂直片部の下端部に連続する水平片部と、で略Ｌ字状に形成されていて、前記水平片部がルーフパネルに止着されていることを特徴とする自動車のルーフモール。
【請求項２】
前記垂直片部は、伸縮自在の蛇腹状に形成されていることを特徴とする請求項１に記載の自動車のルーフモール。
【請求項３】
前記垂直片部は、前記ルーフモール本体部に連続する上端部および前記水平片部に連続する下端部に薄肉の屈曲部を備えていることを特徴とする請求項１に記載の自動車のルーフモール。
【請求項４】
前記垂直片部は、幅方向の略中央部の内面の垂直方向に補強リブを備えていることを特徴とする請求項１〜３に記載の自動車のルーフモール。
【請求項５】
前記水平片部は、ルーフパネルに止着するクリップ部を備えていることを特徴とする請求項１〜４に記載の自動車のルーフモール。
【発明の詳細な説明】
【技術分野】
【０００１】
本発明は、自動車のルーフパネルに関するものである。
【背景技術】
【０００２】
自動車のルーフパネルとして、低コスト化等を図るために略四角形状に形成したメインパネルの両サイドにサイドパネルを接合したものが知られている。この種のルーフパネルにおいては、メインパネルとサイドパネルの接合部の継ぎ目を覆い隠すために、図１３に示すように、ルーフパネル１０１を構成するメインパネル１０２とサイドパネル１０３の接合部の継ぎ目１０４の部分に沿って凹溝１０５を形成し、該凹溝１０５内にルーフモール２０１を取付けて前記継ぎ目１０４を覆うようになっている。
【０００３】
前記ルーフモール２０１は、図１４に示すように、ルーフモール本体部２０２と、該ルーフモール本体部２０２の端末に設けられたルーフモール端末部２０３と、を備えている。そして、図１５に示すように、前記ルーフモール端末部２０３の下面に設けたテープ台座２０４に貼り付けた両面接着テープ２０５でルーフモール端末部２０３を介してルーフモール本体部２０２を前記凹溝１０５内に止着する構成になっている。（例えば、特許文献１参照）。
【０００４】
また、図１６に示すように、凹溝１０５の端部にＴ字状のスタッド２０６を設ける一方、ルーフモール２０１の端部に断面Ｔ字状の凹部２０７を形成し、前記Ｔ字状のスタッド２０６を断面Ｔ字状の凹部２０７を挿入した後に該断面Ｔ字状の凹部２０７にクリップ２０８を係合してルーフモール端末部２０３を凹溝１０５内に止着する構成にしたものが知られている。（例えば、特許文献２参照）。
【特許文献１】実公昭４８−４０２５４号公報
【特許文献２】実公昭６４−３７１７号公報
【発明の開示】
【発明が解決しようとする課題】
【０００５】
ところで、特許文献１は、ルーフモール端末部２０３を両面接着テープ２０５で凹溝１０５内に止着するという性質上、所謂剥がれが生じ易い。特に、外気温等でルーフモール本体部２０２が長手方向に伸長すると、ルーフモール本体部２０２が所謂波打ち現象を起こすかりでなく、伸長する際の力で両面接着テープ２０５がルーフパネルから剥がれてしまうという問題点があった。
【０００６】
また、特許文献２は、ルーフモール端末部２０３をスタッド２０６や断面Ｔ字状の凹部２０７、クリップ２０８等を使用してルーフパネルに止着するので、前記両面接着テープ２０５を使用した場合のようにルーフパネルからの剥がれが起こることはないが、ルーフモールが長手方向に伸長した場合にルーフモールが波打ち現象を起こすのを防止することはできないという問題点があった。
【０００７】
本発明の目的は、ルーフモールが長手方向に伸縮した場合に、その伸縮を効果的に吸収して、ルーフモールが波打ち現象を起したり、両面接着テープが剥がれたりするのを未然に防止することのできる自動車のルーフモールを提供することにある。
【課題を解決するための手段】
【０００８】
請求項１の発明は、ルーフモール本体部と、該ルーフモール本体部の端末に設けられたルーフモール端末部と、を備え、前記ルーフモール端末部でルーフモール本体部をルーフパネルに止着する自動車のルーフモールであって、
前記ルーフモール端末部を、前記ルーフモール本体部の上端部に連結部を介して連続する可撓性を有する垂直片部と、該垂直片部の下端部に連続する水平片部と、で略Ｌ字状に形成すると共に、前記水平片部をルーフパネルに止着する構成にすることにより、
熱でルーフモールが長手方向に伸縮した場合に、前記ルーフモール本体部と水平片部との間で垂直片部が撓んで前記ルーフモール本体部の伸縮を吸収可能にした。
【０００９】
請求項２の発明は、前記垂直片部をより柔軟に撓ますことができるように、前記垂直片部を伸縮自在の蛇腹状に形成した。
【００１０】
請求項３の発明は、前記垂直片部を伸縮自在の蛇腹状に形成する代わりに、前記垂直片部の上端部の前記ルーフモール本体部に連続する部分と、前記垂直片部の下端部の前記水平片部に連続する部分と、にそれぞれ薄肉の屈曲部を形成して、ルーフモールが長手方向に伸縮した際に前記垂直片部が上、下端の屈曲部で倒れるように屈曲して、ルーフモールの長手方向の伸縮を吸収するようにした。
【００１１】
請求項４の発明は、前記垂直片部の幅方向の略中央部の内面の垂直方向に補強リブを設け、該補強リブにより前記垂直片部の垂直方向の強度を強化した。
【００１２】
請求項５の発明は、前記水平片部に、ルーフパネルに止着するクリップ部を設け、該クリップ部で前記水平片部をルーフパネルに止着する構成にした。
【発明の効果】
【００１３】
請求項１の発明の自動車のルーフモールは、ルーフモール本体部が長手方向に伸縮した場合に、ルーフモール本体部と水平片部との間で垂直片部が撓んでルーフモール本体部の伸縮を吸収するので、ルーフモール本体部の伸縮、特に伸長によってルーフモールが波打つように変形するのを防止すると共に、両面接着テープ等によりルーフパネルに止着されている水平片部がルーフパネルから剥がれるのを防止することができる。
【００１４】
請求項２の発明は、請求項１の自動車のルーフモールにおいて、垂直片部を伸縮自在の蛇腹状に形成したので、ルーフモール本体部が長手方向に伸縮した場合に垂直片部が伸縮して、ルーフモール本体部の長手方向の伸縮をより効果的に吸収する
請求項３の発明は、請求項１の自動車のルーフモールにおいて、垂直片部の上端部の前記ルーフモール本体部に連続する部分と、垂直片部の下端部の水平片部に連続する部分と、にそれぞれ薄肉の屈曲部を形成して、ルーフモールが長手方向に伸縮した際に垂直片部が上、下端の屈曲部で倒れるように屈曲して、ルーフモールの長手方向の伸縮を吸収する。
【００１５】
請求項４の発明は、請求項１〜３の自動車のルーフモールにおいて、垂直片部の幅方向の略中央部の内面の垂直方向に補強リブを設け、該補強リブにより垂直片部の垂直方向の強度を強化したので、垂直片部の伸縮吸収性能を略維持した侭の状態で、垂直片部の腰を強くして水平片部のルーフモールへの組付作業性等の向上を図ることができる。
【００１６】
請求項５の発明は、請求項１〜４の自動車のルーフモールにおいて、水平片部に、ルーフパネルに止着するクリップ部を設け、該クリップ部で水平片部をルーフパネルにクリップ係合部等に係合することにより、両面接着テープ等を使用しないで水平片部をルーフパネルに止着することができる。
【発明を実施するための最良の形態】
【００１７】
図1はルーフモール１の要部である後端末の斜視図、図２は図１のＢ−Ｂ断面図、図３は図１のＡ−Ａ断面図、図4はルーフモール１の前端末部の斜視図である。
【００１８】
図1に示すように、ルーフモール１は、ルーフモール本体部２と、該ルーフモール本体部２の後端末に設けられたルーフモール端末部３と、を備えている。ルーフモール本体部２は、合成樹脂を押出成形することにより形成されている。ルーフモール端末部３は、合成樹脂を射出成形することにより形成されていて、ルーフモール本体部２の後部の端末に接合されている。
【００１９】
図2に示すように、ルーフモール端末部３は、ルーフモール本体部２の後端末の上端部に連結部４を介して連続する可撓性を有する垂直片部５と、該垂直片部５の下端部に連続する水平片部６と、で略Ｌ字状もしくは略Ｚ状に形成されていて、水平片部６が両面接着テープ７によりルーフパネル１０１のルーフモール取付け用の凹溝１０５内の後端側に止着されている。また、図３に示すように、ルーフモール本体部２は、前記ルーフモール取付け用の凹溝１０５に設けた金具１０６によって浮き上がりを防止されている。また、図4に示すように、ルーフモール１の前端側の端末部は、ウインドモール９の下に差し込んだ状態でルーフパネル１０１に係止されている。
【００２０】
実施の形態のルーフモール１は、上述のような構成であるから夏期の炎天下における灼熱等で、図2に2点鎖線で示すように、ルーフモール本体部２が伸長すると前記垂直片部５が傾斜するように撓んで、ルーフモール本体部２の伸長を吸収して、ルーフモール本体部２が浮き上がったり、波打ったりするのを防止すると共に、ルーフモール本体部２が伸長する際の力で前記両面接着テープ７がルーフパネル１０１から剥離するのを防止する。
【００２１】
図５、図６は垂直片部５の第1の変形例を示す。この変形例において、垂直片部５は、伸縮自在の蛇腹状もしくはＳ字状に形成されている。そして、ルーフモール本体部２が長手方向に伸長すると前記蛇腹状もしくはＳ字状の垂直片部５が伸びて、ルーフモール本体部２の伸長を吸収して、ルーフモール本体部２が浮き上がったり、波打ったりするのを防止する。その他の構成は、前記基本例の場合と同じであるので重複する説明は省略する。
【００２２】
図７、図８は垂直片部５の第２の変形例を示す。この変形例において、垂直片部５のルーフモール本体部２側に連続する上端部および水平片部６に連続する下端部に薄肉の屈曲部１１，１２を備えている。そして、ルーフモール本体部２が長手方向に伸長すると垂直片部５が上、下端の屈曲部１１，１２で倒れるように屈曲してルーフモール本体部２の伸長を吸収して、ルーフモール本体部２が浮き上がったり、波打ったりするのを防止する。その他の構成は、前記基本例の場合と同じであるので重複する説明は省略する。
【００２３】
図９、図１０は垂直片部５の第３の変形例を示す。この変形例において、垂直片部５は、伸縮自在の蛇腹状もしくはＳ字状に形成されていて、幅方向の略中央部の内面の垂直方向に補強リブ１３を備えている。補強リブ１３は、蛇腹状もしくはＳ字状に形成された垂直片部５では凹部を埋めるように形成され、下端が水平片部６まで伸び、連結部４では凸状に形成され、上端が連結部４の下面まで伸びていて、前記垂直片部５の垂直方向の強度を補強している。従って、ルーフモール１をルーフパネル１０１に取付ける際などに、蛇腹状もしくはＳ字状の垂直片部５が伸びてしまって、ルーフモール１のルーフパネル１０１への組付作業性を損なうのを防止することができる。また、補強リブ１３は、垂直片部５の幅方向の略中央部に設けたので、ルーフモール本体部２が伸縮した時の伸縮吸収性能が極端に低下するのを防止することができる。なお、この変形例においては、垂直片部５を伸縮自在の蛇腹状もしくはＳ字状に形成した第1の変形例の垂直片部５に補強リブ１３を設けた場合を示したが、垂直片部５の上下端に薄肉の屈曲部１１，１２を形成した第2の変形例の垂直片部５の幅方向の略中央部に補強リブ１３を設けてもよい。他の構成は、第1、第2の変形例の場合と同じであるので重複する説明は省略する。
【００２４】
図１１、図１２は垂直片部５の第４の変形例を示す。この変形例において、水平片部６は、ルーフパネル１０１に止着するクリップ部２１を備えている。クリップ部２１は、水平片部６の下面に立設された軸部２２と、該軸部２２の先端に設けられた一対の係合爪２３，２４と、前記軸部２２の付け根部分に設けられた伏椀状のシール部２５と、該シール部２５に取付けられたパッキング部材２６と、からなっている。
【００２５】
クリップ部２１は、一対の係合爪２３，２４をルーフパネル１０１に設けた取付孔１１１に挿入し、前記一対の係合爪２３，２４の先端部と、前記シール部２５およびパッキング部材２６でルーフパネル１０１の上下面を挟着することにより、水平片部６をルーフパネル１０１に止着する構成になっている。他の構成は、基本例、第１、第２、第３の変形例の場合と同じであるので重複する説明は省略する。
【図面の簡単な説明】
【００２６】
【図１】ルーフモールの要部である後端末側の斜視図。
【図２】図2のＢ−Ｂ断面図。
【図３】図2のＡ−Ａ断面図。
【図４】ルーフモールの前端末側の斜視図。
【図５】第1の変形例の要部の斜視図。
【図６】第1の変形例の使用状態を示す要部の側面図。
【図７】第２の変形例の要部の斜視図。
【図８】第２の変形例の使用状態を示す要部の側面図。
【図９】第３の変形例の要部の斜視図。
【図１０】第３の変形例の使用状態を示す要部の側面図。
【図１１】第４の変形例の要部の斜視図。
【図１２】第４の変形例の使用状態を示す要部の側面図。
【図１３】ルーフモールの使用状態の断面図。
【図１４】従来のルーフモールの端末部の平面図。
【図１５】図１４のＳＡ−ＳＡ断面図。
【図１６】他の従来例の斜視図。
【符号の説明】
【００２７】
１…ルーフモール、２…ルーフモール本体部、３…ルーフモール端末部、４…連結部、５…垂直片部、６…水平片部、７…両面接着テープ、１１，１２…屈曲部、１３…補強リブ、２１…クリップ部、１０１…ルーフパネル、１０５…ルーフモール取付け用の凹溝。
【図１】
2005178711.tif 000003
【図２】
2005178711.tif 000004
【図３】
2005178711.tif 000005
【図４】
2005178711.tif 000006
【図５】
2005178711.tif 000007
【図６】
2005178711.tif 000008
【図７】
2005178711.tif 000009
【図８】
2005178711.tif 000010
【図９】
2005178711.tif 000011
【図１０】
2005178711.tif 000012
【図１１】
2005178711.tif 000013
【図１２】
2005178711.tif 000014
【図１３】
2005178711.tif 000015
【図１４】
2005178711.tif 000016
【図１５】
2005178711.tif 000017
【図１６】
2005178711.tif 000018